(57)【要約】【課題】キー差し込み穴にキーを差し込んで回す操作をしなくても、枠体やガラス窓のロックを外せるようにする。【解決手段】シリンダ４の回動軸４ｃと、そのシリンダ４と向かい合わせ且つ同軸配置したモータ８の回転軸８ａを連結し、その連結された回動軸４ｃ（回転軸８ａ）に爪付きカム２０取り付ける。爪付きカム２０は、左右に回動させることで、第１及び第２のスライドバー５，６を移動可能な第１及び第１の係止爪２０ａ，２０ｂを備えているよって前記シリンダ４の回動軸４ｃを、ソレノイド１８の動作でフリーの状態にすれば、爪付きカム２０をモータ８により回動させることができる。【選択図】    図１
2004197376.tif 000002
【特許請求の範囲】
【請求項１】
キー差し込み穴を備えた可動ユニットとその可動ユニットを回動可能に支持する固定ユニットとが互いに密着して同軸配置され、固定ユニットから可動ユニットのキー差し込み穴にまで連続して貫通するピン穴に、スプリング力によりドライバーピンを介してキー差し込み穴内にタンブラーピンが頭出しするよう内蔵されていて、キー差し込み穴に挿入したキーによりそのキーの凹凸形状に対応したストローク分だけタンブラーピンを押し戻し、タンブラーピンとドライバーピンとの継ぎ目を可動ユニットと固定ユニットの境界と一致させることにより、可動ユニットを回動可能とし、その可動ユニットの回動操作で遊技機の枠体やガラス窓のロックを解除する遊技機の解錠機構用シリンダにあって、総てのドライバーピンを、タンブラーピンとの接触面が可動ユニットと固定ユニットの境界と一致する位置までスプリング力に抗して強制的に移動させるアクチュエータを設けた遊技機の解錠機構用シリンダ。
【請求項２】
タンブラーピンを引き戻し操作することで、タンブラーピンとの接触面を可動ユニットと固定ユニットの境界と一致する位置までスプリング力に抗して強制的に移動させる請求項１に記載した遊技機の解錠機構用シリンダ。
【請求項３】
ドライバーピンを押し戻し操作することによりタンブラーピンとの接触面を可動ユニットと固定ユニットの境界と一致する位置までスプリング力に抗して強制的に移動させる請求項１に記載した遊技機の解錠機構用シリンダ。
【発明の詳細な説明】
【０００１】
【発明の属する技術分野】
本発明は、スロットマシン、パチスロ機、パチンコ機など、ホールに設置され、不特定多数のプレーヤーを対象とする遊技機の施錠機構を解除する解錠機構にあって、キー操作以外の手段によって施錠機構のロック解除を可能にするシリンダに関する。
【０００２】
【従来の技術】
ホール内に設置されている遊技機は、内部を勝手に操作されることを防止するため、ガラス扉や枠体は施錠機構により開かないようロックされている。
前記施錠機構は、例えば特許文献１に記載のように、シリンダのキー差し込み穴に差し込んだキーで爪付きカムを左右に回動させ、枠内に配置されたスライドバーの係止部と前記爪付きカムとの係止作用でスライドバーを押し上げ或いは押し下げ動作することによって枠体或いは窓枠のロックを解除する解錠機構と一体になっていて、キーを持っていないホール関係者以外は施錠機構のロックを解除できず、解除するにはキーをキー差し込み穴に差し込み、回動させる必要がある。
しかし、ホール内においては、呼び出しランプが点灯する度に係員が馳せ参じ、プレーヤーの対応に追われ、解錠するには隣り合うプレーヤー同士の狭い隙間から不自然な姿勢で肩越しにキーを回す操作をしなくてはならないし、特に近年は、ホールの係員に若い女性の姿も見受けられるようになった背景もあって、解錠操作のしやすさが求められている。
そこで、特許文献２に記載のように、電波、赤外線、超音波等の無線手段、或いは管理センターからの指令により、アクチュエータによってロックを解除するリモートコントロール式解錠機構の開発も進みつつある。
そしてそのリモートコントロール式解錠機構を採用する場合、前記既存の施錠機構は、爪付きカムが中立位置にある状態（キーが抜かれた状態）では、セキュリティとの絡みからスライドバーが爪付きカムとの係止作用によって移動しない構造になっていて、単にリモートコントロール式解錠機構付加しただけでは解錠できないので、既存の解錠機構を外し、解錠機構をそっくり丸ごと付け換えてしまったり、既存の解錠機構をリモートコントロール式解錠機構の支障にならないよう改造しているのが実情である。
【０００３】
【特許文献１】
特開２００２−３０１２５１号公報
【特許文献２】
特開平９−１３５４８３号公報
【０００４】
【発明が解決しようとする課題】
既存の解錠機構は手動式で、長年の実績から信頼性が確立されている一方、リモートコントロール式解錠機構は、妨害電波などに対して１００％の動作保証はできないとか、送信器の電池が消耗すれば電池交換しなくてはならないなど、今後解決しなくてはならない多くの課題が残されている。
そのため前者のように、既存の解錠機構をリモートコントロール式解錠機構に付け換えると、キーによる解錠操作が全くできなくなってしまうので、不測の事態に備えて手動式の解錠機構を残しておくことも重要であり、既存の解錠機構とリモートコントロール式解錠機構とを併用するのが望ましい。
後者の場合、改造に手間がかかることは勿論であるが、爪付きカムが中立位置にある状態では、何らかの手段でスライドバーを移動させない補助ロック機構を別途追加しておかなくてはセキュリティが手薄になり、不安である。
【０００５】
【課題を解決するための手段】
本発明は、手動式とリモートコントール式との併用を、補助ロック機構なしで高いセキュリティを発揮可能とした解錠機構であって、その構成は、キー差し込み穴を備えた可動ユニットとその可動ユニットを回動可能に支持する固定ユニットとが互いに密着して同軸配置され、固定ユニットから可動ユニットのキー差し込み穴にまで連続して貫通するピン穴に、スプリング力によりドライバーピンを介してキー差し込み穴内にタンブラーピンが頭出しするよう内蔵されていて、キー差し込み穴に挿入したキーによりそのキーの凹凸形状に対応したストローク分だけタンブラーピンを押し戻し、タンブラーピンとドライバーピンとの継ぎ目を可動ユニットと固定ユニットの境界と一致させることにより、可動ユニットを回動可能とし、その可動ユニットの回動操作で遊技機の枠体やガラス窓のロックを解除する遊技機の解錠機構用シリンダにあって、総てのドライバーピンを、タンブラーピンとの接触面が可動ユニットと固定ユニットの境界と一致する位置までスプリング力に抗して強制的に移動させるアクチュエータを設けたことにある。
【０００６】
そして前記解錠機構は、アクチュエータによりタンブラーピンを引き戻し操作することで、タンブラーピンとの接触面を可動ユニットと固定ユニットの境界と一致する位置までスプリング力に抗して強制的に移動させるようにしたり、ドライバーピンを押し戻し操作することによりタンブラーキーとの接触面を可動ユニットと固定ユニットの境界と一致する位置までスプリング力に抗して強制的に移動させるようにできる。
【０００７】
【発明の実施の形態】
以下、本発明に係る解錠機構を図面に基づいて説明する。
図１は、遊技機の枠体内側に取り付けられる解錠機構と施錠機構の一部とを示したもので、１は、枠体（図示せず）に取り付けられる固定用プレート１ａとその固定用プレート１ａに対して直角に折り曲げ形成された張り出しプレート１ｂとから成る断面Ｌ字型をした長尺のフレームであり、前記固定用プレート１ａには、ブラケット３を介して円柱形のシリンダ４が組み付けられている。
このシリンダ４は、一般にいわれている錠前に相当するもので、詳細については後述するが、筒状の固定ユニット内に円柱状の可動ユニットが回動自在に同軸配置されており、可動ユニットには軸心の延長上に回動軸４ｃが突設されている。
【０００８】
前記張り出しプレート１ｂには、ガラス窓用である第１のスライドバー５と、窓枠用である第２のスライドバー６とが、相対的に長手方向へスライド自在に重なり合って組み付けられている。
そしてそれら重なり合った張り出しプレート１ｂと、第１及び第２のスライドバー５、６の各面は、いずれもシリンダ４が組み付けられている付近にて、Ｌ字内を避けて外側に膨出するよう折れ曲がり形成されており、それによって各プレート１ｂ、５、６相互間の移動範囲が規制されている。
【０００９】
又、張り出しプレート１ｂには、折れ曲がり部分にコ字状のモータ保持金具７が延設されていて、そのモータ保持金具７内に、モータ８を前記シリンダ４に対して向かい合わせて配置固定することができるようになっていて、モータ８の回転軸８ａはシリンダ４の回動軸４ｃに連結される。
【００１０】
更に、前記第１のスライドバー５には起立片５ａが設けられ、その起立片５ａと第２のスライドバー６に形成された切り起こし片６ａとが引っ張りバネ９で連結されることにより、第１のスライドバー５は常時Ａ方向（上方）へ付勢され、上限は前記した折れ曲がり部分にて規制されている。
そしてその第１のスライドバー５には、ガラス窓ロック用の係合爪１０が突設されていて、図示しない係合部との係合作用によりガラス窓をロックする施錠機構を構成する。
【００１１】
一方  前記第２のスライドバー６は、引っ張りバネ９により、第１のスライドバー６とは逆に、常時Ｂ方向（下方）へ付勢され、下限は前記第１のスライドバー６と同様、折れ曲がり部分にて規制されている。
そして第２のスライドバー６は、張り出しプレート１ｂの端部に枢着された係合爪１１の基端部に軸着されていて、図示しない係合部との係合作用により枠体をロックする施錠機構を構成する。
【００１２】
前記シリンダ４は、図２に示すように、キー差し込み穴１２を備えた円柱状の可動ユニット４ａとその可動ユニット４ａを支持する円筒状の固定ユニット４ｂとを互いに密着して同軸配置し、固定ユニット４ｂの周面を筒状のケース１３で覆うことにより回動可能に支持し、固定ユニット４ｂから可動ユニット４ａのキー差し込み穴１２にまで連続して貫通するピン穴１４に、スプリング１５の力により、ドライバーピン１６を介してキー差し込み穴１２内にタンブラーピン１７が頭出しするよう内蔵されている。
前記ケース１３には、ピン穴１４に対応する部位に小透孔１３ａが穿設されており、その小透孔１３ａを介し、ケース１３の外表面に組み付けられたアクチュエータとしてのソレノイド１８によって、ドライバーピン１６をスプリング１５に抗して引き戻しできるようになっている。
【００１３】
この実施例の場合、図３の（ａ）に示すように、ドライバーピン１６は先端側を小径とした二段構造で、大径部は後端面が開口したカップ形状になっていて、そのカップ状内には、底面中央にソレノイド１８のロッド部１８ａが連結されると共に、ケース１３との間にスプリング１５が介在されるようセットできるようになっている。
又、タンブラーピン１７は円柱状でいずれも先端が面取され、中間部分にはフランジ１７ａが設けられていて、個々のタンブラーピン１７、１７・におけるフランジ１７ａから先端までの長さは、キー１９の側面に形成されたディンプル１９ａ，１９ａ・の深さに応じたものが適用される。
そしてピン孔１４には段部が形成されていて、前記ドライバーピン１６における大径部と小径部との境、タンブラーピン１７におけるフランジ１７ａとがそれぞれストッパとして作用する。
【００１４】
このように形成されたシリンダ４は、キー差し込み穴１２内にキー１９を挿入すると、図３の（ｂ）に示すように、そのキー１９の凹凸形状としてのディンプル１９ａに対応したストローク分だけタンブラーピン１７が押し戻され、タンブラーピン１７とドライバーピン１６との継ぎ目が可動ユニット４ａと固定ユニット４ｂの境界と一致するので、可動ユニット４ａはキー１９の操作で回動可能となる。
これは一般的なシリンダの基本的機構である。
【００１５】
又このシリンダにはソレノイド１８が組み付けられているので、図３の（ｃ）に示すように、ソレノイド１８の引っ張り動作によりドライバーピン１６を引き戻せば、ドライバーピン１６のタンブラーピン１７に対する当接面が可動ユニット４ａと固定ユニット４ｂの境界に一致させることができるので、ドライバーピンの位置とは無関係に、可動ユニット４ａが回動可能となる。
そのため可動ユニット４ａの回動軸４ｃとモータ８の回転軸とが連結されていても、シリンダ４をフリーとする（回動ユニットを回動自在とする）ことで、モータ８により回動軸４ｃを回動させることが可能となる。
【００１６】
前記シリンダ４の回動軸４ｃ（回転軸８ａ）には２つの係止爪２０ａ、２０ｂを持った爪付きカム２０が取り付けられており  一方第１のスライドバー５には、折れ曲がり部分に舌片２１を設けることで、第１の係止爪２０ａとの係止作用によりＢ方向に対する第１の係止部２１ａが形成され、又第２のスライドバー６には、同じく折れ曲がり部分に舌片２２を設けることで、第２の係止爪２０ｂとの係止作用によりＡ方向に対する第２の係止部２２ａが形成されている。
【００１７】
このように形成された解錠機構用シリンダを採用することで、シリンダのキー差し込み孔にキーを差し込んで回動させる以外に、ソレノイドの動作でドライバーピンを引き戻してフリー状態とすれば、モータにより爪付きカムを回動させることができる。
爪付きカム２０を回動（図面において時計回転方向）させれば、図４の（ｂ）に示すように、その爪付きカム２０に形成されている第１の係止爪２０ａと第１の係止部２１ａとの係止作用で、第１のスライドバー５がＢ方向に移動し、ガラス窓のロックが外れ、図４の（ｃ）に示すように、逆方向へ回動させることにより、第２の係止爪２０ｂと係止部２２ａとの係止作用で第２のスライドバー６をＡ方向に移動させ、枠体のロックを外すことができる。
そしてキーが抜かれた状態、ソレノイドが動作していないときには、第１の係止爪２０ａが第２のスライドバー６における折れ曲がり面に接触し、第２のスライドバーが固定されるので、枠体のロック解除をすることができず、セキュリティも万全である。
【００１８】
前記実施例はドライバーピンをアクチュエータで強制的に引き戻すことで、ドライバーピンのタンブラーピンに対する当接面を可動ユニットと固定ユニットとの境界に一致させているが、ドライバーピンを、タンブラーピンに対する当接面が可動ユニットと固定ユニットとの境界に一致するよう押し戻すようにもできる。
次にその変更例を説明する。
【００１９】
図５はその変更例を示したもので、前記実施例と同一機能を持つ部材については同一符号を使用し、共通部分は説明を省略した。
図５に示すように、キー差し込み穴１２を挟んだピン穴１４の反対側に、プッシャーとして、ソレノイド１８がタンブラーピン１７と向かい合わせに配置されており、スペーサ２３を介し、プッシュピン２４をスプリング２５の押し戻し力に抗してキー差し込み穴１２内に押し出し、先端でタンブラーピン１７をピン穴１４内に押し込み動作するようになっており、常態では図６の（ａ）に示す如く、ドライバーピン１６とタンブラーピン１７との境界と、可動ユニット４ａと固定ユニット４ｂとの境界とにはズレがあり、可動ユニット４ａを回動させることはできない。
キー差し込み穴１２内にキー１９を挿入すると、図６の（ｂ）に示すように、そのキー１９の凹凸形状としてのディンプル１９ａに対応したストローク分だけタンブラーピン１７が押し戻され、タンブラーピン１７とドライバーピン１６との継ぎ目が可動ユニット４ａと固定ユニット４ｂの境界と一致するので、可動ユニット４ａはキー１９の操作で回動可能となる。
又、ソレノイド１８によりタンブラーピン１７を押し戻し、タンブラーピン１７とドライバーピン１６との継ぎ目を、可動ユニット４ａと固定ユニット４ｂの境界と一致させれば、可動ユニット４ａをフリー状態にできる。
このように構成すれば、アクチュエータがシリンダ内に組み込まれ、突起物もなくなる。
【００２０】
以上いずれの実施例も、可動ユニットと固定ユニットとを内外同軸に組み合わせ、キーの側面に形成されたディンプルによって動作されるタンブラーキーを直線上に配置した構造であるが、タンブラーピンを引き戻し操作することで、タンブラーキーとの接触面を可動ユニットと固定ユニットの境界と一致する位置までスプリング力に抗して強制的に移動させる前者の実施例では、可動ユニットと固定ユニットとを軸方向に同軸配置し、円筒状のキー先端の凹凸により、円軌跡上に配置されたタンブラーキーを動作させる構造にも適用される。
【００２１】
又、ドライバーピンを、タンブラーピンとの接触面が可動ユニットと固定ユニットの境界と一致する位置までスプリング力に抗して強制的に移動させるアクチュエータは、電気式アクチュエータであるソレノイド以外に、電気モータ、エアー圧、或いは油圧利用のアクチュエータ等を好適利用することもできる
上記実施例はいずれもパチンコ機について説明したが、遊技機全般に適用でき、一斉解放させる場合には好適である。
【００２２】
【発明の効果】
本発明によれば、キーがなくてもシリンダをフリー状態にできるので、施錠機構と解錠機構との組み合わせに対してリモートコントロール式解錠機構を追加した場合、その追加したリモートコントロール式解錠機構と既存の手動式解錠装置との併用を図ることができ、リモートコントロール式解錠機構にトラブルが生じた場合、手動にて対応できる。
【００２３】
そしてタンブラーピンを引き戻し操作することで、タンブラーキーとの接触面を可動ユニットと固定ユニットの境界と一致する位置までスプリング力に抗して強制的に移動させる構成とすれば、可動ユニットと固定ユニットとを軸方向に同軸配置し、円筒状のキー先端の凹凸により、円軌跡上に配置されたタンブラーキーを動作させる構造にも適用できる。
又、ドライバーピンを押し戻し操作することによりタンブラーピンとの接触面を可動ユニットと固定ユニットの境界と一致する位置までスプリング力に抗して強制的に移動させる構成とすれば、アクチュエータがシリンダ内に組み込まれ、突起物もなくなる。
【図面の簡単な説明】
【図１】本発明に係るシリンダが採用された施錠  解錠機構の説明図である。
【図２】シリンダの構造を示した説明図である。
【図３】シリンダの動作を示した説明図である。
【図４】解錠操作の説明図である。
【図５】シリンダの構造を示した変更例の説明図である。
【図６】シリンダの動作を示した変更例の説明図である
【符号の説明】
１・・フレーム、１ａ・・固定用プレート、１ｂ・・張り出しプレート、２・・切り欠き、３・・ブラケット、４・・シリンダ、４ａ・・可動ユニット、４ｂ・・固定ユニット、４ｃ・・回動軸、５・・第１のスライドバー、５ａ・・起立片、６・・第２のスライドバー、６ａ・・切り起こし片、７・・モータ保持金具、８・・モータ、８ａ・・回転軸、９・・引っ張りバネ、１０、１１・・係合爪、１２・・キー差し込み穴、１３・・ケース、１４・・ピン穴、１５・・スプリング、１６・・ドライバーピン、１７・・タンブラーピン、１８・・ソレノイド、１９・・キー、１９ａ・・ディンプル、２０・・爪付きカム、２０ａ・・第１の係止爪、２０ｂ・・第２の係止爪、２１・・舌片、２１ａ・・第１の係止部、２２・・舌片、２２ａ・・第２の係止部、２３・・スペーサ、２４・・プッシュピン、２５・・スプリング、Ａ・・上方、Ｂ・・下方。
【図１】
2004197376.tif 000003
【図２】
2004197376.tif 000004
【図３】
2004197376.tif 000005
【図４】
2004197376.tif 000006
【図５】
2004197376.tif 000007
【図６】
2004197376.tif 000008